(57)【要約】【課題】紙葉類収納装置の収納品質を向上させる。【解決手段】紙葉類収納装置（紙幣収納装置３）は、軸３７０を中心に回転することによって紙葉類を巻き取ると共に、逆方向に回転することによって紙葉類を繰り出す回転体（ドラム３７）と、紙葉類と共に、回転体に巻き付けられる少なくとも一のテープ（第１テープ３５１、第２テープ３５２）と、回転体に巻き付けられるテープの幅方向の縁の位置を、回転軸の方向に変更する変更構造３０１と、を備えている。【選択図】図５
2019101676.tif 000002
【特許請求の範囲】
【請求項１】
軸を中心に回転することによって紙葉類を巻き取ると共に、逆方向に回転することによって前記紙葉類を繰り出す回転体と、
前記紙葉類と共に、前記回転体に巻き付けられる少なくとも一のテープと、
前記回転体に巻き付けられる前記テープの幅方向の縁の位置を、前記軸の方向に変更する変更構造と、を備えている紙葉類収納装置。
【請求項２】
前記変更構造は、前記回転体に対する前記テープの固定位置を、前記軸の方向に変更するよう構成されている請求項１に記載の紙葉類収納装置。
【請求項３】
前記変更構造は、前記回転体に設けられかつ、前記テープの固定位置を示す複数の印を有している請求項２に記載の紙葉類収納装置。
【請求項４】
前記変更構造は、前記軸を中心に回転し、前記テープが固定されかつ、前記軸の方向に移動をする可動部によって構成されている請求項１に記載の紙葉類収納装置。
【請求項５】
前記可動部は、前記回転体に取り付けられて前記回転体と一体に回転すると共に、前記テープが固定されかつ、前記軸の方向に、前記回転体に対して相対移動をするように構成されている請求項４に記載の紙葉類収納装置。
【請求項６】
前記変更構造は、前記可動部を前記軸の方向に動かす駆動部を有している請求項４に記載の紙葉類収納装置。
【請求項７】
前記テープが巻かれるリールを備え、
前記変更構造は、前記回転体に固定されている前記テープの前記縁の位置に応じて、前記リールの位置を、前記軸の方向に変更するよう構成されている請求項１に記載の紙葉類収納装置。
【請求項８】
前記変更構造は、前記リールを前記軸の方向に動かす第２駆動部を有している請求項７に記載の紙葉類収納装置。
【請求項９】
前記テープが巻かれるリールを備え、
前記変更構造は、前記リールと前記回転体との間の前記テープの経路に配設されかつ、前記回転体に固定されている前記テープの前記縁の位置に応じて、前記テープの、前記回転体への供給位置を、前記軸の方向に変更するガイド部によって構成されている請求項１に記載の紙葉類収納装置。
【請求項１０】
前記紙葉類が前記回転体から繰り出される際に、前記紙葉類の一部が前記テープの外面に折り込まれることを規制する規制部を備え、
前記規制部は、前記回転体に巻き付けられた前記テープの前記縁の位置に応じて、前記テープに対向する位置に配設されるよう構成されている請求項１に記載の紙葉類収納装置。
【請求項１１】
前記回転体に巻き付けられた前記テープを押さえるローラーを備え、
前記ローラーは、前記テープの前記縁の位置に応じて、前記テープに接触する位置に配設されるよう構成されている請求項１に記載の紙葉類収納装置。
【請求項１２】
前記テープは、前記軸の方向に間隔を空けた複数箇所に配設され、
前記変更構造は、少なくとも一対の前記テープ同士の前記軸の方向における間隔を変更する請求項１に記載の紙葉類収納装置。
【請求項１３】
請求項１〜１２のいずれか１項に記載の紙葉類収納装置を備えた紙葉類処理装置。
【発明の詳細な説明】
【技術分野】
【０００１】
ここに開示する技術は、紙葉類収納装置、及び、紙葉類処理装置に関する。
【背景技術】
【０００２】
特許文献１には、紙葉類収納装置が記載されている。紙葉類収納装置は、回転軸を中心に巻き取り方向及び繰り出し方向に回転するドラムと、紙葉類と共にドラムに巻き付けられるテープとを備えている。テープは、ドラムの回転軸の方向に間隔を空けた二箇所に配設されている。テープは、紙葉類の長手方向における一端寄りの箇所と、他端寄りの箇所とを、ドラムに向かって押さえる。
【先行技術文献】
【特許文献】
【０００３】
【特許文献１】特許第５９３５５１２号公報
【発明の概要】
【発明が解決しようとする課題】
【０００４】
紙葉類をドラムに巻き付けて収納するよう構成されている紙葉類収納装置は、従来、紙葉類の大きさや、紙葉類の種類に関わらず、比較的安定して紙葉類を収納することができると考えられてきた。
【０００５】
本願発明者は、紙葉類収納装置の収納品質を、さらに向上させることができる点を新たに見出した。
【０００６】
ここに開示する技術は、紙葉類収納装置の収納品質を向上させる。
【課題を解決するための手段】
【０００７】
具体的に、ここに開示する紙葉類収納装置は、軸を中心に回転することによって紙葉類を巻き取ると共に、逆方向に回転することによって前記紙葉類を繰り出す回転体と、前記紙葉類と共に、前記回転体に巻き付けられる少なくとも一のテープと、前記回転体に巻き付けられる前記テープの幅方向の縁の位置を、前記軸の方向に変更する変更構造と、を備えている。
【０００８】
変更構造がテープの縁の位置を変更すると、回転体に巻き取られる紙葉類において、テープが押さえる位置が変わる。
【０００９】
例えば、紙葉類の大きさに応じて、変更構造がテープの縁の位置を変更してもよい。紙葉類が大きいときには、テープは、適切な位置において紙葉類に重なることができ、テープは、紙葉類を安定的に押さえることができる。紙葉類が小さいときには、テープは、紙葉類から外れずに紙葉類に重なることができ、テープは、紙葉類を安定的に押さえることができる。
【００１０】
また、紙葉類の一つである紙幣は、折り畳まれることがあるため、折り目がついた箇所が切れやすい。例えば、変更構造が、紙幣の切れやすい箇所にテープが重なるように、テープの縁の位置を変更してもよい。そのようにすれば、回転体に紙葉類を巻き取る際や、回転体から紙葉類を繰り出す際に、紙葉類が破れたり、紙葉類が切れた箇所において、めくれ上がって折れたりといった不具合を防止することができる。
【００１１】
さらに、紙葉類の一つとして、紙とポリマーフィルムとを組み合わせた、いわゆるハイブリッド紙幣は、ポリマーフィルムが紙よりもコシが強いという特性を有している。例えば、ハイブリッド紙幣におけるポリマーフィルムの箇所に応じて、変更構造がテープの縁の位置を変更してもよい。そのようにすれば、テープは、ハイブリッド紙幣における適切な位置と重なる。テープは、ハイブリッド紙幣を安定的に押さえることができる。
【００１２】
変更構造がテープの縁の位置を変更することによって、紙葉類収納装置の収納品質が向上する。
【００１３】
ここで、変更構造は、紙葉類収納装置の出荷時に、仕向け先に応じてテープの縁の位置を変更してもよい。また、変更構造は、紙葉類収納装置の設置時に（つまり、使用開始前に）、例えば設置された国や地域等の、設置環境に応じてテープの縁の位置を変更してもよい。さらに、変更構造は、紙葉類収納装置の使用開始後も、例えば収納品質が低い、又は、新たな種類の紙葉類の収納を開始する等の、紙葉類収納装置の収納状況に応じてテープの縁の位置を変更してもよい。加えて、変更構造は、紙幣収納装置であれば、紙幣の改刷の際に、新しい紙幣の大きさ、形状、及び／又は、構造（特にハイブリッド紙幣の構造）に応じて、テープの縁の位置を変更してもよい。
【００１４】
前記変更構造は、前記回転体に対する前記テープの固定位置を、前記軸の方向に変更するよう構成されている、としてもよい。
【００１５】
テープの固定位置を軸の方向に変更すると、回転体とテープとの相対位置が変わるから、回転体に巻き付けられるテープの縁の位置が変わる。
【００１６】
前記変更構造は、前記回転体に設けられかつ、前記テープの固定位置を示す複数の印（しるし）を有している、としてもよい。
【００１７】
テープの固定位置の変更は、例えば人の手によって行ってもよい。回転体に複数の印を設けておくことによって、作業者は、印に従って、テープを、複数の位置の中から適切な位置に固定することができる。尚、「印」は、回転体の、例えば外周部から出っ張った凸部や、外周部から窪んだ凹部（又は溝部）によって構成してもよい。また、例えば外周部に「印」を印刷してもよい（つまり、外周部に彩色を施すことによって印を表してもよい）。
【００１８】
前記変更構造は、前記軸を中心に回転し、前記テープが固定されかつ、前記軸の方向に移動をする可動部によって構成されている、としてもよい。
【００１９】
前記可動部は、前記回転体に取り付けられて前記回転体と一体に回転すると共に、前記テープが固定されかつ、前記軸の方向に、前記回転体に対して相対移動をするように構成されている、としてもよい。
【００２０】
可動部を、軸の方向に動かすことによって、回転体に対するテープの位置を変えることができる。回転体とテープとの相対位置が変わるから、回転体に巻き付けられるテープの縁の位置が変わる。回転体を回転すると、可動部は回転体と一体に回転するため、テープは、可動部に巻き付けられる形態にしてもよい。
【００２１】
前記変更構造は、前記可動部を前記軸の方向に動かす駆動部を有している、としてもよい。
【００２２】
駆動部が可動部を動かすことによって、回転体に対するテープの位置を、適切な位置にすることができる。駆動部は、例えば電気モータを含む形態にしてもよい。
【００２３】
前記紙葉類収納装置は、前記テープが巻かれるリールを備え、前記変更構造は、前記回転体に固定されている前記テープの前記縁の位置に応じて、前記リールの位置を、前記軸の方向に変更するよう構成されている、としてもよい。
【００２４】
回転体に固定されているテープの縁の位置とリールの位置とを対応させることによって、リールから引き出したテープは、スムースに回転体に供給される、又は、回転体から繰り出されたテープは、スムースにリールに巻き取られる。
【００２５】
前記変更構造は、前記リールを前記軸の方向に動かす第２駆動部を有している、としてもよい。
【００２６】
第２駆動部がリールを動かすことによって、回転体に固定されているテープの位置に対応する位置に、リールを配置することができる。
【００２７】
前記紙葉類収納装置は、前記テープが巻かれるリールを備え、前記変更構造は、前記リールと前記回転体との間の前記テープの経路に配設されかつ、前記回転体に固定されている前記テープの前記縁の位置に応じて、前記テープの、前記回転体への供給位置を、前記軸の方向に変更するガイド部によって構成されている、としてもよい。
【００２８】
回転体に固定されているテープの縁の位置に対応するように、ガイド部がテープの供給位置を変更することによって、リールから引き出したテープは、スムースに回転体に供給される、又は、回転体から繰り出されたテープは、スムースにリールに巻き取られる。また、前記の構成は、リールの位置を変更しなくても、リールから引き出したテープの、ドラムに対する供給位置を変更することができる。リールの構成を簡略化することができる。
【００２９】
前記紙葉類収納装置は、前記紙葉類が前記回転体から繰り出される際に、前記紙葉類の一部が前記テープの外面に折り込まれることを規制する規制部を備え、前記規制部は、前記回転体に巻き付けられた前記テープの前記縁の位置に応じて、前記テープに対向する位置に配設されるよう構成されている、としてもよい。
【００３０】
紙葉類に切れや破れが生じていると、紙葉類の一部がめくれ上がって、ドラムに巻かれたテープの外面に折り込まれる場合がある。規制部は、紙葉類がテープの外面に折り込まれることを規制する。規制部は、回転体に巻き付けられたテープに対向する位置に配設してもよい。回転体に巻き付けられるテープの縁の位置は、軸の方向に変更することが可能であるから、テープの縁の位置に応じて規制部を配設することにより、規制部は、紙葉類の一部がテープの外面に折り込まれることを規制することができる。
【００３１】
前記紙葉類収納装置は、前記回転体に巻き付けられた前記テープを押さえるローラーを備え、前記ローラーは、前記テープの前記縁の位置に応じて、前記テープに接触する位置に配設されるよう構成されている、としてもよい。
【００３２】
ローラーがテープを押さえることによって、回転体に巻き付けられたテープと紙葉類とがずれてしまうことを防止することができる。回転体に巻き付けられるテープは、前述したように、軸の方向に縁の位置を変更することが可能であるから、テープの縁の位置に応じてローラーを配設することにより、ローラーがテープに当たるようになる。回転体に巻き付けられたテープと紙葉類とがずれてしまうことが防止される。
【００３３】
前記テープは、前記軸の方向に間隔を空けた複数箇所に配設され、前記変更構造は、少なくとも一対の前記テープ同士の前記軸の方向における間隔を変更する、としてもよい。
【００３４】
こうすることで、少なくとも一対のテープそれぞれの、縁の位置を変更することができる。テープは、紙葉類における複数箇所を、適切に押さえることができる。
【００３５】
ここに開示する紙葉類処理装置は、前述した紙葉類収納装置を備えている。
【発明の効果】
【００３６】
以上説明したように、前記の紙葉類収納装置及び紙葉類処理装置によると、紙葉類の収納品質が向上する。
【図面の簡単な説明】
【００３７】
【図１】図１は、紙幣処理装置の外観を例示する斜視図である。
【図２】図２は、紙幣処理装置の内部の構成例を示す模式図である。
【図３】図３は、紙幣収納装置の構成例を示す断面図であり、収納量がゼロの状態を示している。
【図４】図４は、図３の紙幣収納装置において、収納量が満量の状態を示す断面図である。
【図５】図５は、リールの位置を変更可能な、紙幣収納装置の構成例を模式的に示す説明図である。
【図６】図６は、ドラムに対するテープの固定位置を変更する、紙幣収納装置の構成例を模式的に示す説明図である。
【図７】図７は、駆動部がリールの位置を変更する、紙幣収納装置の構成例を模式的に示す説明図である。
【図８】図８は、ガイド部がドラムに対するテープの供給位置を変更する、紙幣収納装置の構成例を模式的に示す説明図である。
【図９】図９は、可動部がドラムに対するテープの固定位置を変更する、紙幣収納装置の構成例を模式的に示す説明図である。
【図１０】図１０は、駆動部が可動部の位置を変更する、紙幣収納装置の構成例を模式的に示す説明図である。
【図１１】図１１は、紙幣収納装置の搬送ガイドの構成例を示す斜視説明図である。
【図１２】図１２は、押さえローラーの位置を変更可能な、紙幣収納装置の構成例を模式的に示す模式図である。
【図１３】図１３は、ドラムにアタッチメントを取り付けた構成例を示す図４対応図である。
【図１４】図１４は、ドラムに取り付けられるアタッチメントの様々な構成例を模式的に示す説明図である。
【発明を実施するための形態】
【００３８】
以下、紙葉類収納装置及び紙葉類処理装置の実施形態を図面に基づいて詳細に説明する。以下の説明は、紙葉類収納装置及び紙葉類処理装置の一例である。図１は、紙葉類処理装置としての紙幣処理装置１を示している。紙幣処理装置１は、例えば銀行等の金融機関に設置されかつ、入金処理及び出金処理を含む各種の処理を実行する装置である。尚、紙幣処理装置１は、金融機関に設置する以外に、例えば小売店舗のバックオフィス等に設置して用いることも可能である。
【００３９】
（紙幣処理装置の全体構成）
図１は、紙幣処理装置１の外観を例示している。図２は、紙幣処理装置１の内部の構造を例示している。
【００４０】
紙幣処理装置１は、バラ紙幣の処理を行う。紙幣処理装置１は、上部の処理部１１と、下部の金庫部１３とを有している。処理部１１を構成する上部筐体１１１の中には、入金部２１、出金部２３、識別部２４、一時保留部６、及び、搬送部４の一部が配設されている。
【００４１】
金庫部１３は、金庫筐体１３１によって構成されている。金庫筐体１３１の中には、収納部５と、搬送部４の一部とが配設されている。金庫筐体１３１は、収納部５を、所定以上の防護レベルで防護するように構成されている。金庫筐体１３１の防護レベルは、上部筐体１１１の防護レベルよりも高い。
【００４２】
入金部２１は、入金処理を行う際に、紙幣が投入される部分である。入金部２１は、入金口２１１を有している。入金口２１１は、上部筐体１１１の上面に開口している。紙幣は、入金口２１１を通じて、入金部２１に投入される。入金部２１は、投入された紙幣を、一枚ずつ装置の中に取り込む機構を有している。
【００４３】
出金部２３は、出金処理の際に、紙幣が搬送される部分である。出金部２３は、様々な用途に利用することが可能である。出金部２３は、複数枚の紙幣を集積するよう構成されている。出金部２３は、出金口２３１を有している。出金口２３１は、上部筐体１１１の上面に開口している。出金部２３に集積されている紙幣は、出金口２３１を通じて取り出すことが可能である。尚、出金口２３１に、開閉するシャッターを設けてもよい。
【００４４】
識別部２４は、後述するループ搬送路４１に配設されている。識別部２４は、ループ搬送路４１に沿って搬送される紙幣の一枚一枚について、少なくとも、真偽、金種及び正損を識別する。
【００４５】
一時保留部６は、紙幣を一時保留部６の中に取り込んで収納すること、及び、一時保留部６の中に収納している紙幣を繰り出すこと、が可能に構成されている。一時保留部６は、後述する紙幣収納装置３によって構成されている。紙幣収納装置３は、いわゆるテープ式の収納機構を有している。一時保留部６は、入金処理を行う際に、入金対象の紙幣を一時的に収納する。入金処理が確定すると、一時保留部６は、収納している紙幣を繰り出す。繰り出された紙幣は、後述する収納部５に収納される。一時保留部６はまた、その他の用途に利用することも可能である。
【００４６】
一時保留部６は、上部筐体１１１の中の前側の位置に配設されている。一時保留部６は、上部筐体１１１の中に、着脱可能に配置されている。一時保留部６が無くても、紙幣処理装置１は動作することが可能に構成されている。
【００４７】
収納部５は、複数の収納ユニット５１を有している。図例の紙幣処理装置１は、八個の収納ユニット５１を有している。収納ユニット５１は、金庫筐体１３１の中に、上下方向及び水平方向に並んで配置されている。尚、収納ユニット５１の数、及び、収納ユニット５１の配置は、どのようなものであってもよい。
【００４８】
各収納ユニット５１は、紙幣を収納ユニット５１の中に取り込んで収納すること、及び、収納ユニット５１の中に収納している紙幣を繰り出すこと、が可能に構成されている。収納ユニット５１は、後述する紙幣収納装置３によって構成してもよい。
【００４９】
搬送部４は、搬送路を有している。搬送部４は、紙幣の長手の縁を前にして、紙幣と紙幣との間に間隔を空けて、紙幣を一枚ずつ、搬送路に沿って搬送するよう構成されている。搬送路は、図示は省略するが、多数のローラー、複数のベルト、これらを駆動するモータ、及び複数のガイドの組み合わせによって構成されている。尚、紙幣処理装置１は、紙幣の短手の縁を前にして、紙幣を搬送するようにしてもよい。
【００５０】
搬送部４は、上部筐体１１１の中に設けられたループ搬送路４１を有している。ループ搬送路４１は、前述したように識別部２４を通る。搬送部４は、紙幣を、ループ搬送路４１に沿って、図１における時計回り方向及び反時計回り方向に搬送する。
【００５１】
入金部２１は、接続路４２を介して、ループ搬送路４１に接続されている。出金部２３は、接続路４３を介して、ループ搬送路４１に接続されている。
【００５２】
複数の収納ユニット５１はそれぞれ、接続路４４を介してループ搬送路４１に接続されている。接続路４４は、途中で分岐して、複数の収納ユニット５１のそれぞれに接続されている。一時保留部６は、接続路４５を介してループ搬送路４１に接続されている。
【００５３】
尚、図示は省略するが、ループ搬送路４１と、接続路４２、４３、４４、４５との接続箇所には、紙幣の搬送先を切り替える分岐機構が設けられている。また、接続路４４における各分岐箇所にも、分岐機構が設けられている。
【００５４】
ループ搬送路４１、及び、接続路４２、４３、４４、４５における各所には、紙幣の通過を検知する通過センサが配設されている。搬送部４は、図示を省略するコントローラーからの指令を受けて、通過センサの検知信号に基づいて、搬送部４の各分岐機構を制御することにより、紙幣を、所定の搬送先に搬送する。
【００５５】
以下、前述した構成の紙幣処理装置１が、入金処理及び出金処理を実行する際の動作について、簡単に説明する。
【００５６】
（入金処理）
入金対象の紙幣は、入金部２１に投入される。入金部２１は、紙幣を一枚一枚、装置の中に取り込む。搬送部４は、取り込まれた紙幣を、接続路４２からループ搬送路４１を通って、識別部２４に搬送する。識別部２４は、紙幣を識別する。搬送部４は、識別部２４を通過した紙幣を、接続路４４を経て、それぞれの識別結果に応じた複数の収納ユニット５１のいずれかに搬送する。収納ユニット５１は、紙幣を収納する。入金可能な紙幣が全て、収納ユニット５１に収納されれば、入金処理は終了する。尚、識別部２４において識別をした結果、もし、入金に適さない、いわゆるリジェクト紙幣と判断された紙幣が存在する場合は、該当する紙幣を、接続路４３を経て出金部２３に搬送する。
【００５７】
尚、入金処理時に一時保留部６を利用する場合、搬送部４は、識別部２４を通過した紙幣を、接続路４５を経て、一時保留部６に搬送する。入金処理が確定した後、一時保留部６は、収納している紙幣を繰り出す。搬送部４は、一時保留部６から繰り出された紙幣を、接続路４４を経て、複数の収納ユニット５１のいずれかに搬送する。尚、識別部２４において識別をした結果、もし、入金に適さない、いわゆるリジェクト紙幣と判断された紙幣が存在する場合は、一時保留部６から繰り出した後、該当する紙幣を、接続路４３を経て出金部２３に搬送する。
【００５８】
（出金処理）
収納ユニット５１は、出金処理時に、出金対象の紙幣を繰り出す。搬送部４は、紙幣を、接続路４４からループ搬送路４１を通って、識別部２４に搬送する。識別部２４は、紙幣の識別を行う。搬送部４は、識別後の紙幣を、ループ搬送路４１から接続路４３を通って、出金部２３に搬送する。出金対象の紙幣が全て、出金部２３に出金されれば、出金処理は終了する。尚、識別部２４において識別をした結果、もし、出金に適さない、いわゆるリジェクト紙幣と判断された紙幣が存在する場合は、リジェクト紙幣を収納するように予め定められた、いずれかの収納ユニット５１に、該当する紙幣を搬送する。
【００５９】
（紙幣収納装置の構成）
図３及び図４は、一時保留部６及び／又は収納ユニット５１を構成する紙幣収納装置３を例示している。紙幣収納装置３の向きは、紙幣処理装置１内において配設される位置に応じて変更される。図３は、紙幣収納装置３の収納量がゼロのとき（つまり、紙幣収納装置３に紙幣が収納されていないとき）の状態を示し、図４は、紙幣収納装置３の収納量が満量のときの状態を示している。図５は、紙幣収納装置３が有する収納機構３００の一部を模式的に示している。以下においては、説明の便宜上、図３及び図４の紙面における左右方向をＸ方向とし、図３及び図４の紙面における上下方向をＹ方向とし、図３及び図４の紙面に直交する方向をＺ方向とする。
【００６０】
紙幣収納装置３の一側面（図３及び図４の例では下面）には、紙幣が出入する出入口３１０が設けられている。紙幣は、出入口３１０を通って紙幣収納装置３の中に入ると共に、出入口３１０を通って紙幣収納装置３の外に出る。
【００６１】
紙幣収納装置３は、収納機構３００と、収納機構３００を収容するフレーム３１と、を備えている。収納機構３００は、図５に示すように、紙幣１００を、テープと共にドラム３７に巻き取るよう構成されている。収納機構３００は、この構成例においては、第１テープ３５１と第２テープ３５２との二つのテープによって、紙幣１００をドラム３７に巻き付ける。収納機構３００は、第１リール３６１と、第２リール３６２と、前記ドラム３７と、紙幣１００の搬送路を構成する搬送ガイド３２と、を備えている。ドラム３７は、回転軸３７０を中心に回転する回転体の一例である。
【００６２】
第１リール３６１には、第１テープ３５１の一端が固定されていると共に、第１テープ３５１が巻かれている。第２リール３６２には、第２テープ３５２の一端が固定されていると共に、第２テープ３５２が巻かれている。第１テープ３５１の他端、及び、第２テープ３５２の他端はそれぞれ、ドラム３７の外周面に固定されている。
【００６３】
図３及び図４においては、リールは一つのみ示されている。第１リール３６１及び第２リール３６２は、図５に示すように、Ｚ方向に伸びるシャフト３６３に対して、所定の間隔を空けて支持されている。
【００６４】
搬送ガイド３２は、フレーム３１の内部において、出入口３１０とドラム３７との間に配設されている。搬送ガイド３２は、Ｙ方向に伸びている。搬送ガイド３２は、フレーム３１の内部を、一側領域３１１と、他側領域３１２と、に隔てている。
【００６５】
搬送ガイド３２は、後述する第１ベルト３３１が巻き掛けられたプーリのシャフト３３３を中心として回動するよう構成されている（図３の上側の両端矢印参照）。搬送ガイド３２は、付勢部材（つまり、ばね３２５）によって、図３における時計回り方向に付勢されている。搬送ガイド３２は、後述するドラム３７の径の大きさに応じて、時計回り方向及び反時計回り方向に回動する。尚、ここでいう「ドラムの径の大きさ」は、ドラム３７に巻かれた紙幣１００及びテープ３５１、３５２を含んだ径の大きさを意味する。ドラムの径は、ドラムに巻き付けられた紙幣の量によって変化する。言い換えれば、紙幣を紙幣収納装置３の内部に収納していくと、ドラム３７に巻きつけられた紙幣の枚数が増え、ドラム３７の径は大きくなる。結果として搬送ガイド３２は、シャフト３３３を中心として反時計回り方向に回動する。一方、紙幣を紙幣収納装置３の内部から外部へ繰出していくと、ドラム３７に巻きつけられた紙幣の枚数が減り、ドラム３７の径は小さくなる。結果として搬送ガイド３２は、シャフト３３３を中心として時計回り方向に回動する。
【００６６】
搬送ガイド３２は、第１ベルト３３１及び第２ベルト３３２を有している。第１ベルト３３１は、複数のプーリに巻き掛けられている。第２ベルト３３２も、別の複数のプーリに巻き掛けられている。第１ベルト３３１と第２ベルト３３２とは、紙幣１００の搬送路に沿って、紙幣１００を厚み方向に挟むよう対向している。第１ベルト３３１及び第２ベルト３３２は、紙幣１００を、ドラム３７に向かって、又は、出入口３１０に向かって搬送する。
【００６７】
搬送ガイド３２の中間位置には、一側領域３１１と他側領域３１２とを連通する連通部３２３が設けられている。連通部３２３には、第１テープ３５１及び第２テープ３５２を案内するガイドローラー３２４が配設されている。図５に示すように、ガイドローラー３２４は、第１テープ３５１及び第２テープ３５２に対応して、Ｚ方向に間隔を空けて、二つ配設されている。
【００６８】
搬送ガイド３２に設けた搬送路の端には、ローラー対３４が配設されている。ローラー対３４は、駆動ローラー３４１と従動ローラー３４２とによって構成されている。駆動ローラー３４１と従動ローラー３４２とは、向かい合って配設されている。そして、ドラム３７に対するテープ３５１、３５２の巻き取りおよび巻き戻し時に、テープ３５１、３５２に接触する駆動ローラー３４１に、移動するテープ３５１、３５２から駆動力が伝達され、この駆動ローラー３４１と一体に回転する伝達ローラーから従動ローラー３４２に駆動力が伝達されるように構成されている。図１１に示すように、ローラー対３４は、第１テープ３５１及び第２テープ３５２に対応して、Ｚ方向に間隔を空けて、二つ配設されている。尚、図１１には、ローラー対３４の駆動ローラー３４１のみを図示している。
【００６９】
搬送ガイド３２の先端部には、二つの押さえローラー３８１が取り付けられている。二つの押さえローラー３８１は、図１１に示すように、Ｚ方向に間隔を空けて配設されている。押さえローラー３８１は、図１２の上図Ｆ１２１に模式的に示すように、ドラム３７に巻いた第１テープ３５１及び第２テープ３５２に当たる。押さえローラー３８１は、第１テープ３５１及び第２テープ３５２を押さえる。押さえローラー３８１は、搬送ガイド３２が回動することに伴い、ドラム３７の中心に対する相対位置を変更する。押さえローラー３８１の位置は、ドラム３７の径の大きさに応じて変わる。具体的には、紙幣１００の収納枚数が増加すればするほど、搬送ガイド３２が、ドラム３７からの相対距離が大きくなる方向に回動し、押さえローラー３８１が相対的に離れていく。一方、紙幣１００の収納枚数が減少すればするほど、搬送ガイド３２が、ドラム３７からの相対距離が小さくなる方向に回動し、押さえローラー３８１が相対的に近づいていく。尚、図１２の上図Ｆ１２１及び下図Ｆ１２２はそれぞれ、後述の通り、ドラム３７と、第１テープ３５１及び第２テープ３５２と、二つの押さえローラー３８１と、紙幣１００との相対的な位置関係を説明する図であり、図面による理解を容易にするために、二つの押さえローラー３８１に接触する位置にのみ、第１テープ３５１及び第２テープ３５２を描くと共に、第１テープ３５１及び第２テープ３５２を描いた位置にのみ、紙幣１００を描いている。
【００７０】
第１リール３６１及び第２リール３６２は、他側領域３１２に配設されている。第１リール３６１は、Ｚ方向に伸びる軸を中心として、第１テープ３５１の引き出し方向（つまり、図３及び図４における時計回り方向）、及び、第１テープ３５１の巻き取り方向（つまり、図３及び図４における反時計回り方向）に回転する。同様に、第２リール３６２は、Ｚ方向に伸びる軸を中心して、第２テープ３５２の引き出し方向、及び、第２テープ３５２の巻き取り方向に回転する。
【００７１】
ドラム３７は、一側領域３１１に配設されている。より詳細に、ドラム３７は、一側領域３１１において、出入口３１０から離れた位置に配設されている。
【００７２】
ドラム３７は、Ｚ方向に伸びる回転軸３７０を中心に回転する。ドラム３７は、紙幣１００及びテープの巻き取り方向、及び、紙幣１００及びテープの繰り出し方向に回転する。図３の例において、紙幣１００及びテープの巻き取り方向は、時計回り方向であり、紙幣１００及びテープの繰り出し方向は、反時計回り方向である。
【００７３】
第１リール３６１から引き出された第１テープ３５１及び第２リール３６２から引き出された第２テープ３５２はそれぞれ、ガイドローラー３２４に巻き掛けられる。ガイドローラー３２４に巻き掛けられた後、第１テープ３５１及び第２テープ３５２はそれぞれ、ローラー対３４に到達する。ガイドローラー３２４とローラー対３４とは、搬送ガイド３２によって形成される紙幣１００の搬送路に沿う方向に、所定の間隔を空けて配設されている。第１テープ３５１及び第２テープ３５２は、ガイドローラー３２４とローラー対３４との間で、紙幣１００の搬送路に沿って走行する。
【００７４】
搬送ガイド３２の搬送路に沿って搬送される紙幣１００は、ガイドローラー３２４とローラー対３４との間で、第１テープ３５１及び第２テープ３５２と重なって搬送される。ローラー対３４は、第１テープ３５１及び第２テープ３５２を、ドラム３７の外周面に向かって案内する。紙幣１００は、ローラー対３４を通過した後、第１テープ３５１及び第２テープ３５２と共に、ドラム３７の外周面に巻かれる。第１テープ３５１及び第２テープ３５２は、紙幣１００の長手方向における所定の箇所を押さえる。
【００７５】
搬送ガイド３２には、ドラム３７から第１テープ３５１及び第２テープ３５２と共に繰り出す紙幣１００をドラム３７の外周面から剥がして搬送路に送る爪３２１１が設けられている。図示は省略するが、爪３２１１は、第１テープ３５１及び第２テープ３５２の位置に対応した二箇所に設けられている。爪３２１１は、先端がドラム３７の外周面に常に接触するように、スプリング等によって付勢されている。
【００７６】
（テープ位置の変更構造の構成例１）
テープ式の紙幣収納装置は、紙幣を、テープと共にドラムに巻き付けるため、紙幣の大きさや、紙幣の種類に関わらず、比較的安定して紙幣を収納することができるという特徴を有している。
【００７７】
ここに開示する紙幣収納装置３は、紙幣の収納品質をさらに向上させるために、ドラム３７に巻き付けられる第１テープ３５１及び第２テープ３５２の位置を、ドラム３７の回転軸３７０の方向に変更することができるように構成されている。つまり、紙幣収納装置３は、テープの幅方向の縁の位置を、ドラムの回転軸の方向に変更する変更構造を有している。
【００７８】
変更構造は、紙幣処理装置１の出荷時に、仕向け先に応じて、紙幣収納装置３のテープ３５１、３５２の位置を変更してもよい。また、変更構造は、紙幣処理装置１の設置時に、設置環境に応じて、紙幣収納装置３のテープ３５１、３５２の位置を変更してもよい。ここでいう設置環境とは、例えば設置された国や地域等の環境を意味する。さらに、変更構造は、紙幣処理装置１の使用開始後も、紙幣収納装置３の収納状況に応じてテープ３５１、３５２の位置を変更してもよい。例えば、紙幣収納装置３の収納品質が低いときに、収納品質が向上するように、テープ３５１、３５２の位置を変更してもよい。また、紙幣処理装置１において、新たな種類の紙幣（例えば、新たな金種や、新たな通貨）の処理を開始するときに、新たな種類の紙幣に対応するように、紙幣収納装置３のテープ３５１、３５２の位置を変更してもよい。加えて、変更構造は、紙幣の改刷に合わせて、新しい紙幣の大きさ、形状、及び／又は構造等に対応するように、テープ３５１、３５２の位置を変更してもよい。
【００７９】
図５及び図６は、変更構造の一例を示している。図５及び図６に示す変更構造３０１は、第１テープ３５１及び第２テープ３５２の間隔を変更する。
【００８０】
変更構造３０１は、ドラム３７の外周面に固定されるテープの先端の位置を、ドラム３７の回転軸３７０の方向に変更可能にする。具体的には、第１テープ３５１及び第２テープ３５２の先端部には、図示を省略するが、粘着剤が塗布されている。第１テープ３５１及び第２テープ３５２の先端部は、それぞれ、ドラム３７の外周面に、粘着剤によって固定されている。作業者は、第１テープ３５１及び第２テープ３５２の先端部を、ドラム３７の外周面から剥がして、新たに貼り直すことが可能である。第１テープ３５１及び第２テープ３５２の先端部の固定位置を変更することによって、ドラム３７に巻き付けられるテープの位置が変わる。
【００８１】
ドラム３７の外周面には、図６に示すように、第１テープ３５１の先端部を固定する位置を示す印３７３が、複数、設けられていると共に、第２テープ３５２の先端部を固定する位置を示す印３７３が、複数、設けられている。具体的に、図６に例示するドラム３７には、回転軸３７０の方向の中央を挟んだ左側に、第１テープ３５１を固定するための三つの印３７３が、回転軸３７０の方向に間隔を空けて設けられていると共に、右側に、第２テープ３５２を固定するための三つの印３７３が、間隔を空けて設けられている。作業者は、印３７３に従って、第１テープ３５１の先端部及び第２テープ３５２の先端部を、三箇所の内の適切な位置に固定することができる。尚、印３７３の数は、適宜の数にすればよい。
【００８２】
印３７３は、ドラム３７の外周面から出っ張った凸部によって構成してもよい。その場合、凸部に沿わせてテープを貼り付けることで、テープを傾いた姿勢でドラム３７に貼り付けてしまうことを防止できる。また、印３７３は、ドラム３７の外周面から窪んだ凹部（又は溝部）によって構成してもよい。その場合、凸部を設ける場合と比較して、ドラム３７の外周面に凹凸が生じることを防止できるため、図６の下図Ｆ６２のように内側の印３７３に沿わせてテープを貼り付けた場合でも、外側の印３７３によりテープが、ドラム３７の外周面に密着させて貼り付けられないことにより、はがれやすくなるなどのトラブルを防止できる。さらに、印３７３は、ドラム３７の外周面に線を印刷することによって設けてもよい。その場合、ドラム３７に凹凸を設けた場合に生じる紙幣の収納状態に及ぼす影響を最小限にできる。あるいは印３７３は、それぞれの位置ごとに上記の凹凸や印刷を組み合わせた形態をとってもよい。その場合、それぞれの利点や欠点を必要に応じて使い分けられるだけでなく、印の形態がそれぞれ異なることで、組立作業者がテープの貼り付ける際に位置を見分けやすくすることができる。
【００８３】
第１テープ３５１の先端部の位置、及び、第２テープ３５２の先端部の位置をそれぞれ変更することによって、図６に矢印で示すように、ドラム３７に巻き付けられる第１テープ３５１及び第２テープ３５２の位置関係が変わる。図６の上図Ｆ６１は、第１テープ３５１と第２テープ３５２とが、回転軸３７０の方向に対して近づいている。図６の下図Ｆ６２は、第１テープ３５１と第２テープ３５２とが、上図Ｆ６１よりも離れている。
【００８４】
変更構造３０１はまた、第１テープ３５１及び第２テープ３５２の位置を変更することに応じて、第１リール３６１及び第２リール３６２がそれぞれ、ドラム３７の回転軸３７０の方向に位置を変更するよう構成されている。第１リール３６１及び第２リール３６２はそれぞれ、前述したように、ドラム３７の回転軸３７０の方向に伸びるシャフト３６３に外挿されている。
【００８５】
より詳細に、第１リール３６１は、シャフト３６３に対して、ベアリング３６０を介して外挿されている。第１リール３６１及びベアリング３６０は、シャフト３６３に対して相対移動が可能に外挿されていると共に、所定の複数の位置においてシャフト３６３に固定することが可能に構成されている。第１リール３６１及びベアリング３６０をシャフト３６３に固定する構成としては、第１リール３６１及びベアリング３６０の両側において、Ｅリング３６４をシャフト３６３に取り付ける構成を採用してもよい。但し、Ｅリング３６４を用いる構成以外によって、第１リール３６１及びベアリング３６０をシャフト３６３に固定してもよい。シャフト３６３には、第１リール３６１及びベアリング３６０を固定する位置を示す印３６５を設けてもよい。印３６５は、シャフト３６３の外周面から出っ張った凸部によって構成してもよい。また、印３６５は、シャフト３６３の外周面から窪んだ凹部（又は溝部）によって構成してもよい。また、印３６５は、シャフト３６３の外周面に、線を印刷することによって設けてもよい。また、印３６５は、それぞれの位置ごとに、上記の凹凸や印刷を組み合わせた形態をとってもよい。その場合、印の形態がそれぞれ異なることで、組立作業者が各リールをシャフト３６３に固定する際に位置を見分けやすくすることができる。
【００８６】
第２リール３６２も、第１リール３６１と同様に構成されている。つまり、第２リール３６２は、シャフト３６３に対して、ベアリング３６０を介して外挿されている。また、第２リール３６２及びベアリング３６０は、Ｅリング３６４を用いて、シャフト３６３における所定の複数の位置に固定される。シャフト３６３には、第２リール３６２及びベアリング３６０を固定する位置を示す印３６５を設けてもよい。
【００８７】
ドラム３７の外周面に固定された第１テープ３５１の先端部の位置、及び、第２テープ３５２の先端部の位置に対応するよう、第１リール３６１及び第２リール３６２の位置を回転軸３７０の方向に変更することによって、ドラム３７に対する第１テープ３５１及び第２テープ３５２の供給位置を変更することができる。ドラム３７に対して、第１テープ３５１及び第２テープ３５２を、スムースに供給することが可能になると共に、ドラム３７から繰り出された第１テープ３５１及び第２テープ３５２を、スムースに第１リール３６１及び第２リール３６２に巻き取ることができる。
【００８８】
ここで、図５に示すように、ガイドローラー３２４の幅は、第１テープ３５１及び第２テープ３５２の幅よりも広い。ガイドローラー３２４は、第１テープ３５１及び第２テープ３５２の位置が変わっても、第１テープ３５１及び第２テープ３５２の走行を案内することができる。
【００８９】
変更構造３０１が第１テープ３５１及び第２テープ３５２の位置を変更すると、第１テープ３５１及び第２テープ３５２が、紙幣１００を押さえる位置が変わる。
【００９０】
例えば、紙幣収納装置３に収納する紙幣１００の大きさに応じて、第１テープ３５１及び第２テープ３５２の位置を変更してもよい。紙幣１００が大きいときに第１テープ３５１と第２テープ３５２とを回転軸３７０の方向に互いに離すと、第１テープ３５１及び第２テープ３５２を、適切な位置において紙幣１００に重ねることができ、第１テープ３５１及び第２テープ３５２は、紙幣１００を安定的に押さえることができる。紙幣１００が小さいときに第１テープ３５１と第２テープ３５２とを回転軸３７０の方向に互いに近づけると、第１テープ３５１及び第２テープ３５２を、紙幣１００から外れずに紙幣１００に重ねることができ、第１テープ３５１及び第２テープ３５２は、紙幣１００を安定的に押さえることができる。
【００９１】
また、紙幣１００は、折り畳まれることがあるため、図５に符号１０１で例示するように、折り目の箇所が切れやすい。図５の下図Ｆ５２に示すように、紙幣１００の切れやすい箇所１０１にテープが重なるよう、第１テープ３５１及び第２テープ３５２の位置を変更すると、ドラム３７に紙幣１００を巻き取る際や、ドラム３７から紙幣１００を繰り出す際に、紙幣１００が破れたり、図５の上図Ｆ５１に符号１０２で例示するような紙幣１００の一部がめくれ上がって折れたりといった不具合を防止することができる。
【００９２】
さらに、紙幣１００の一つとして、紙とポリマーフィルムとを組み合わせた、いわゆるハイブリッド紙幣は、ポリマーフィルムが紙よりもコシが強いという特性を有している。ハイブリッド紙幣におけるポリマーフィルムの箇所に応じて、変更構造３０１が第１テープ３５１及び第２テープ３５２の位置を変更すれば、第１テープ３５１及び第２テープ３５２をハイブリッド紙幣の適切な位置と重ねることができ、第１テープ３５１及び第２テープ３５２は、ハイブリッド紙幣を安定的に押さえることができる。
【００９３】
このように、変更構造３０１が、第１テープ３５１及び第２テープ３５２の位置を変更することによって、紙幣収納装置３の収納品質を向上させることができる。
【００９４】
（テープ位置の変更構造の構成例２）
図７は、変更構造の第２の構成例を示している。図７の変更構造３０２は、第１リール３６１が第１シャフト３６３１に固定されている。第１リール３６１は、第１シャフト３６３１に対して相対移動しない。また、第２リール３６２が第２シャフト３６３２に固定されている。第２リール３６２も、第２シャフト３６３２に対して相対移動しない。第１シャフト３６３１は、駆動部３６６に連結されている。駆動部３６６は、例えば電気モータを含んで構成してもよい。駆動部３６６は、第１シャフト３６３１を、ドラム３７の回転軸３７０の方向に移動させるよう構成されている。第１シャフト３６３１が移動することに伴って、第１リール３６１も、回転軸３７０の方向に移動する。同様に、第２シャフト３６３２も、駆動部３６６に連結されている。駆動部３６６が第２シャフト３６３２を、回転軸３７０の方向に移動させることに伴って、第２リール３６２は、回転軸３７０の方向に移動をする。変更構造３０２は、図７の上図Ｆ７１及び下図Ｆ７２に例示するように、コントローラー３６７が駆動部３６６を通じて、第１リール３６１及び第２リール３６２の位置を変更する。
【００９５】
（テープ位置の変更構造の構成例３）
図６の変更構造３０１及び図７の変更構造３０２は、第１リール３６１及び第２リール３６２の位置を変更する構成であるのに対し、図８の変更構造３０３は、第１リール３６１及び第２リール３６２の位置を変更しない構成例である。変更構造３０３は、リールとドラムとの間のテープの経路に介設したガイド部が、ドラムに対するテープの供給位置を変更する。具体的には、図８の上図Ｆ８１に示すように、第１テープ３５１の経路と第２テープ３５２の経路とのそれぞれに、ガイド部３９が介設している。ガイド部３９は、固定ローラー３９１及び移動ローラー３９２によって構成されている。固定ローラー３９１及び移動ローラー３９２は、テープの走行方向に対して傾くと共に、互いに平行に配設されている。第１リール３６１から引き出された第１テープ３５１は、固定ローラー３９１に巻き掛けられた後、移動ローラー３９２に巻き掛けられて、ドラム３７に至る。同様に、第２リール３６２から引き出された第２テープ３５２も、固定ローラー３９１に巻き掛けられた後、移動ローラー３９２に巻き掛けられて、ドラム３７に至る。
【００９６】
固定ローラー３９１は位置を変更することができない。移動ローラー３９２は、Ｚ方向に位置を変更することができる。二つの移動ローラー３９２のＺ方向の間隔は、変化する。変更構造３０３が、二つの移動ローラー３９２のそれぞれを、ドラム３７の回転軸３７０の方向の中央側に位置づけると、図８の上図Ｆ８１に示すように、ドラム３７に供給される第１テープ３５１及び第２テープ３５２は、回転軸３７０の方向に互いに近づく。変更構造３０３が、二つの移動ローラー３９２のそれぞれを、回転軸３７０の方向の外側に位置づけると、図８の下図Ｆ８２に示すように、ドラム３７に供給される第１テープ３５１及び第２テープ３５２は、回転軸３７０の方向に互いに離れる。この構成例では、第１リール３６１及び第２リール３６２の位置を変更しないため、第１リール３６１及び第２リール３６２の支持構造を簡略化することができる。
【００９７】
（テープ位置の変更構造の構成例４）
図９の変更構造３０４は、ドラム３７の外周面に固定したテープの先端部の位置を変更する構成例である。変更構造３０４は、ドラム３７に対して外挿された、環状の可動部３７１、３７２を備えている。可動部３７１、３７２は、ドラム３７の回転と一体に、回転軸３７０を中心に回転をする一方、ドラム３７に対して、回転軸３７０の方向に相対移動が可能である。可動部３７１、３７２の内周面とドラム３７の外周面との間に、スプラインを形成してもよい。可動部３７１、３７２は、予め定めた複数の位置において、ドラム３７に固定することができる。
【００９８】
第１テープ３５１の先端は、ドラム３７の中央部よりも左側に配設されている第１可動部３７１に固定されている。第２テープ３５２の先端は、ドラム３７の中央部よりも右側に配設されている第２可動部３７２に固定されている。第１可動部３７１及び第２可動部３７２の位置を回転軸３７０の方向に変更すれば、図９の上図Ｆ９１及び下図Ｆ９２に示すように、ドラム３７に巻き付けられる第１テープ３５１及び第２テープ３５２の間隔が変わる。
【００９９】
尚、図１０に例示するように、変更構造３０５は、第１可動部３７１及び第２可動部３７２を動かす駆動部３７５を備えるように構成してもよい。つまり、第１可動部３７１は、第１連結部３７５１を介して連結された駆動部３７５により、ドラム３７の回転軸３７０の方向に移動すると共に、第２可動部３７２は、第２連結部３７５２を介して連結された駆動部３７５によって、ドラム３７の回転軸３７０の方向に移動する。変更構造３０５は、図１０の上図Ｆ１０１及び下図Ｆ１０２に例示するように、コントローラー３６７が駆動部３７５を通じて、第１可動部３７１及び第２可動部３７２の位置を変更する。
【０１００】
（テープ位置の変更に関連する構成１）
図１１に示すように、紙幣収納装置３の搬送ガイド３２には、規制部３２６を取り付けることが可能に構成されている。規制部３２６は、本願出願人が先に出願しているように（例えば、特開２０１６−３１６６３号公報参照）、ドラム３７の近傍に配設されかつ、ドラム３７から紙幣１００を繰り出す際に、紙幣１００の一部が折れてしまって、第１テープ３５１又は第２テープ３５２を両面から挟み込んでしまうことを防止する。
【０１０１】
つまり、図５の上図Ｆ５１に仮想的に示すように、ドラム３７から紙幣１００を繰り出す際に、紙幣１００の端部の切れた箇所において紙幣１００の一部がめくれ上がって折れてしまった場合には、この折られた部分（図５における符号１０２）が、テープの外面（つまり、ドラム３７に巻き付けられているテープの径方向の外方を向いた面）に接触をして、紙幣１００がテープを両面から挟み込んでしまう場合がある。このような場合には、ドラム３７から紙幣１００を繰り出す際に、紙幣１００におけるテープの外面に折り込まれた部分が、当該テープとローラー対３４との間に挟まれることにより、紙幣１００がその切れ部分から破れてしまったり、紙幣１００の向きが大きく変わってしまったりするおそれがある。
【０１０２】
図４に仮想的に示すように、規制部３２６を、第１テープ３５１及び第２テープ３５２に対向して設けることによって、紙幣１００がめくれ上がっても、めくれ上がった部分が規制部３２６と干渉する。紙幣１００が第１テープ３５１又は第２テープ３５２を両面から挟み込んでしまうことが防止される。
【０１０３】
規制部３２６は、ドラム３７の回転軸３７０の方向における位置が第１テープ３５１及び第２テープ３５２にそれぞれ対向する位置に配設される。また、規制部３２６は、ドラム３７の回転軸３７０の方向における幅の大きさが一定となるよう、その両端縁がドラム３７の周方向に沿って延びている。尚、規制部３２６の形状は、処理をする紙幣の寸法や材質等に応じて変更してもよく、例えばドラム３７の回転軸３７０の方向における幅の大きさが先端にいくほど小さくなる先細り形状としてもよい。こうすることで、紙幣を収納する際に紙幣の折られた部分が軸方向においてテープから遠ざかりやすくなる。また、ドラム３７の回転軸３７０の方向における幅の大きさが先端にいくほど大きくなる先太り形状としてもよい。こうすることで、紙幣を繰り出す際に紙幣の折られた部分が軸方向においてテープから遠ざかりやすくなる。
【０１０４】
規制部３２６の面３２６１は、図４に示すように、ドラム３７に巻かれた第１テープ３５１及び第２テープ３５２の表面とわずかな隙間を隔ててこれらの第１テープ３５１及び第２テープ３５２に対向する。規制部３２６が取り付けられる搬送ガイド３２は、前述したように、ドラム３７に巻き取られている紙幣１００の量に応じて、シャフト３３３を中心として回動するように構成されているため、ドラム３７に巻き取られている紙幣１００の量が多い場合でも少ない場合でも、規制部３２６の面３２６１とドラム３７に巻かれた第１テープ３５１及び第２テープ３５２の表面との間にわずかな隙間が形成されるようになる。
【０１０５】
ここで、規制部３２６は、テープに対して対向する位置に配設する必要がある。この紙幣収納装置３は、第１テープ３５１及び第２テープ３５２の位置を、ドラム３７の回転軸３７０の方向に変更することが可能である。そこで、紙幣収納装置３は、規制部３２６が、ドラム３７の回転軸３７０の方向に位置を変更することが可能に構成されている。
【０１０６】
また、搬送ガイド３２に規制部３２６を取り付けると、ドラム３７の径が大きくなることが制限されるから、紙幣収納装置３に収納される紙幣の最大容量が小さくなる。そこで、紙幣収納装置３は、規制部３２６が、搬送ガイド３２に対し、取り付け及び取り外しが可能に構成されている。
【０１０７】
具体的には、図１１に示すように、搬送ガイド３２には、規制部３２６を取り付けるためのスリット３２７が形成されている。スリット３２７は、搬送ガイド３２の表面から裏面に貫通している。規制部３２６に設けた固定部３２６２（図４参照）を、スリット３２７を介して搬送ガイド３２の表面から裏面に通し、搬送ガイド３２の裏面において固定部３２６２を搬送ガイド３２に、例えばねじ止めすることによって、規制部３２６を、搬送ガイド３２に取り付けることができる。それとは逆に、固定部３２６２のねじを外すと共に、固定部３２６２を、スリット３２７を介して搬送ガイド３２の裏面から表面に通過させると、規制部３２６を、搬送ガイド３２から取り外すことができる。
【０１０８】
スリット３２７は、ドラム３７の回転軸３７０の方向（つまり、Ｚ方向）に伸びて形成されている。規制部３２６は、このスリット３２７内において位置を変えることができる。図１１の中図Ｆ１１２は、二つの規制部３２６の間隔を狭くした構成例を示し、下図Ｆ１１３は、二つの規制部３２６の間隔を広くした構成例を示している。
【０１０９】
規制部３２６を搬送ガイド３２に取り付けるときには、前述したように、第１テープ３５１及び第２テープ３５２に対向する位置に、規制部３２６を固定する。このことによって、規制部３２６は、紙幣１００の一部がテープを両面から挟み込んでしまうことを、有効に防止することができる。
【０１１０】
また、紙幣処理装置１が、切れが生じている紙幣１００が少ない環境下で使用されるときは、規制部３２６は無くてもよい。搬送ガイド３２に規制部３２６を取り付けないことによって、紙幣収納装置３の収納容量を増やすことができる。図１１の上図Ｆ１１１は、搬送ガイド３２に規制部３２６を取り付けない構成例を示している。
【０１１１】
さらに、紙幣収納装置３を、紙幣処理装置１における、一時保留部６として用いるときには、収納ユニット５１として用いるときと比較して、一般的に紙幣の処理枚数が多いため、切れが生じている紙幣１００を収納及び繰り出される頻度が高くなる。一時保留部６においては、搬送ガイド３２に規制部３２６を取り付けることで、紙幣の収納容量を減らす代わりに、紙幣の一部がテープを両面から挟み込むことによるトラブルを防止するように構成してもよい。一方、紙幣収納装置３を、収納ユニット５１として用いるときには、一時保留部６として用いるときと比較して、一般的に紙幣の処理枚数が少ないため、切れが生じている紙幣１００を収納及び繰り出される頻度が低い。収納ユニット５１においては、搬送ガイド３２に規制部３２６を取り付けずに、紙幣の一部がテープを両面から挟み込むことによるトラブルを防止する機能を追加せず、紙幣の収納容量が減少することを防止する構成としてもよい。また、これらは想定される運用方法や仕向け先に応じて変更及び／又は組み合わせてもよく、例えば装置全体として紙幣の一部がテープを両面から挟み込むことによるトラブルの発生頻度を低減するために、一時保留部６と収納ユニット５１ともに規制部３２６を取り付ける形態をとってもよい。
【０１１２】
（テープ位置の変更に関連する構成２）
押さえローラー３８１は、前述した構成例では、ドラム３７に巻き付けられた第１テープ３５１及び第２テープ３５２に当接する。紙幣収納装置３は、第１テープ３５１及び第２テープ３５２の位置をドラム３７の回転軸３７０の方向に変更することに伴い、押さえローラー３８１の位置を変更することが可能に構成されている。
【０１１３】
押さえローラー３８１は、図１１の上図Ｆ１１１に示すように、搬送ガイド３２に設けた第１開口３２８に配設されている。搬送ガイド３２には、Ｚ方向に間隔を空けて、二つの第１開口３２８が設けられている。二つの第１開口３２８はそれぞれ、Ｚ方向（つまり、回転軸３７０の方向）に広がっており、押さえローラー３８１は、この第１開口３２８内において、配設位置を変えることができる。第１テープ３５１及び第２テープ３５２の位置に対応するように、押さえローラー３８１の配設位置を変更すれば、押さえローラー３８１は、ドラム３７に巻き付けられた第１テープ３５１及び第２テープ３５２に当接することができる。
【０１１４】
また、前述した規制部３２６を搬送ガイド３２に取り付けたときには、前述したように、規制部３２６も第１テープ３５１及び第２テープ３５２に対応する位置に配設される。規制部３２６には貫通穴が形成されている。図１１の中図Ｆ１１２及び下図Ｆ１１３に示すように、搬送ガイド３２に規制部３２６を取り付けたとき、押さえローラー３８１は、規制部３２６の貫通穴内に配設される。規制部３２６及び押さえローラー３８１の両方を、ドラム３７の回転軸３７０の方向に位置を変更することにより、規制部３２６及び押さえローラー３８１は共に、第１テープ３５１及び第２テープ３５２に対応する位置に位置するようになる。
【０１１５】
さらに、搬送ガイド３２には、ローラー対３４の駆動ローラー３４１が配設される第２開口３２９が設けられている。この第２開口３２９も、前述した第１開口３２８と同様に、ドラム３７の回転軸３７０の方向に広がっている。図１１の中図Ｆ１１２及び下図Ｆ１１３に示すように、駆動ローラー３４１も、第２開口３２９内において位置を変更することができる。
【０１１６】
尚、図示は省略するが、ローラー対３４の従動ローラー３４２も、駆動ローラー３４１と同様の構成を採用して、回転軸３７０の方向に位置を変更することができるように構成してもよい。また、従動ローラー３４２は、前述したガイドローラー３２４のように、テープの位置の変更に対応可能な幅広のローラーに構成してもよい（図５等を参照）。
【０１１７】
尚、搬送ガイド３２に形成されている連通部３２３も、前記の第１開口３２８及び第２開口３２９と同様に、回転軸３７０の方向に広がっている。第１テープ３５１及び第２テープ３５２は、回転軸３７０の方向に位置を変更しても、搬送ガイド３２に干渉することなく、連通部３２３を通過することができる。
【０１１８】
（押さえローラーの別の配設構成例）
前述したように、押さえローラー３８１が、ドラム３７に巻き付けられた第１テープ３５１及び第２テープ３５２を押さえる構成（図１２の上図Ｆ１２１参照）は、特に、紙とポリマーフィルムとを組み合わせたハイブリッド紙幣や、コシの強い紙幣のように、ドラム３７の外周面に沿って曲がりにくい紙幣１００をドラム３７に巻き付けるときに、紙幣１００とテープ３５１、３５２とのずれを防止することができる。
【０１１９】
一方、例えばヨレヨレになった紙幣や、ドラム３７に巻かれた状態で長時間が経過することによりカール癖が付いた紙幣は、ドラム３７から繰り出すときに、紙幣のヨレや、カール癖に起因して、ドラム３７の外周面から搬送路の方へスムースに離れずに、ジャムを引き起こす場合がある。紙幣処理装置１の使用環境によっては、紙幣収納装置３に、ジャムが生じやすい紙幣１００を収納することが多くなる。この場合、ドラム３７に巻き付けられた紙幣とテープとのずれを防止することよりも、ジャムの発生を防止することを優先した方が好ましい。
【０１２０】
そこで、この紙幣収納装置３は、押さえローラー３８１の位置を、第１テープ３５１及び第２テープ３５２の位置に応じて変更することに加えて、図１２の下図Ｆ１２２に示すように、第１テープ３５１と第２テープ３５２との間に、押さえローラー３８１を配設することが可能に構成されている。この構成においては、押さえローラー３８１は一つである。つまり、図１１の上図Ｆ１１１に示す二つの押さえローラー３８１を取り外し、搬送ガイド３２の幅方向の中央部に設けた第３開口３２１０に、一つの押さえローラー３８１を取り付ける。図３及び図４に二点鎖線で示すように、第３開口３２１０に取り付けられる押さえローラー３８１は、第１開口３２８に取り付けられる押さえローラー３８１よりも、紙幣１００の搬送経路において、出入口３１０に近い位置に位置している。この位置は、ドラム３７から紙幣１００が繰り出されるときに、紙幣１００がドラム３７から離れる直前に相当する。
【０１２１】
図１２の下図Ｆ１２２に示すように、第１テープ３５１と第２テープ３５２との間に配設した押さえローラー３８１は、第１テープ３５１と第２テープ３５２との間において、紙幣１００をドラム３７に向かって押さえるから、紙幣１００は、ドラム３７から紙幣１００を繰り出す際に、長手方向の中央部が折り曲げられるようになる（但し、Ｆ１２２は紙幣１００の折れ曲がりを、多少誇張して描いている）。ヨレヨレの紙幣であったり、カール癖の付いた紙幣であったりしても、紙幣１００は、中央部が折れ曲がることによって平面性が保たれるようになる。その結果、紙幣１００は、ドラム３７からスムースに離れるようになるから、ジャムの発生を防止することができる。
【０１２２】
また、第１テープ３５１と第２テープ３５２との間に配設する押さえローラー３８１は、紙幣１００がドラム３７から離れる直前に位置しているから、ジャムの発生を防止する効果を、より高めることができる。
【０１２３】
（ドラムのアタッチメント）
ドラム３７の径が小さいと、紙幣収納装置３の収納容量は大きくなる。しかしながら、ドラム３７に巻き付けられた紙幣１００のカール癖が強くなり、前述したように、ドラム３７から紙幣１００を繰り出すときに、紙幣１００がスムースにドラム３７から離れずにジャムを引き起こす場合がある。
【０１２４】
一方、ドラム３７の径を大きくすると、紙幣１００のカール癖は弱くなるが、紙幣収納装置３の収納容量が小さくなる。
【０１２５】
そこで、この紙幣収納装置３は、紙幣処理装置１の使用状況に応じて、ドラム３７の径を変更することが可能に構成されている。具体的には、図１３及び図１４に示すように、ドラム３７の外周部に、アタッチメント３７６が取り付け及び取り外し可能に構成されている。尚、ここでいう「ドラムの径」は、ドラム３７に巻かれた紙幣１００及びテープ３５１、３５２を含まない径を意味する。また、図１４の上図Ｆ１４１、中図Ｆ１４２及び下図Ｆ１４３はそれぞれ、図１２と同様に、ドラム３７と、第１テープ３５１及び第２テープ３５２と、アタッチメント３７６と、紙幣１００との相対的な位置関係を説明する図であり、図面による理解を容易にするために、ドラム３７における一部分にのみ、第１テープ３５１及び第２テープ３５２を描くと共に、第１テープ３５１及び第２テープ３５２を描いた位置にのみ、紙幣１００を描いている。
【０１２６】
アタッチメント３７６は、ドラム３７よりも径の大きい筒状である。図１４の上図Ｆ１４１に示すアタッチメント３７６１は、ドラム３７の回転軸３７０の方向に、ドラム３７と同じ長さを有している。
【０１２７】
アタッチメント３７６を取り付けることによって、ドラム３７の径が大きくなるから、ドラム３７に巻き付けた紙幣１００のカール癖を弱くすることができる。紙幣収納装置３が、カール癖が付きやすい紙幣１００を収納するときには、紙幣１００のジャムの発生を抑制することを優先すべく、ドラム３７にアタッチメント３７６を取り付けてもよい。一方、紙幣収納装置３が、カール癖が付きにくい紙幣１００を収納するときには、紙幣収納装置３の収納容量を大きくすることを優先すべく、ドラム３７にアタッチメント３７６を取り付けなくてもよい。
【０１２８】
図１４の中図Ｆ１４２に示すアタッチメント３７６２は、ドラム３７の回転軸３７０の方向の長さが、ドラム３７よりも短い。アタッチメント３７６２は、ドラム３７の中央部に配設されており、第１テープ３５１及び第２テープ３５２のそれぞれがアタッチメント３７６２に巻き付けられる。図１４の上図Ｆ１４１に模式的に示すように、例えばハイブリッド紙幣等の、一部分の厚みが他の部分よりも分厚い紙幣１００をドラム３７に巻き付けると、ドラム３７が巻き付けた紙幣１００が円錐状になって、第１テープ３５１又は第２テープ３５２のずれを招く恐れがある。中図Ｆ１４２に示すように、アタッチメント３７６２の長さを短くすると、ハイブリッド紙幣をドラム３７に巻き付けたときでも、当該紙幣１００の分厚い部分がドラム３７及びアタッチメント３７６２に当たらないため、紙幣１００の厚み差を吸収することができる。その結果、ドラム３７に巻かれた紙幣１００が円錐状になってしまうことが防止され、紙幣収納装置３の収納品質が向上する。
【０１２９】
さらに、図１４の下図Ｆ１４３に示すように、アタッチメント３７６３は、ドラム３７に対してテープが巻き付けられる位置にのみ取り付けてもよい。この構成でも、ドラム３７に巻き付けた紙幣１００のカール癖を弱くすることができる。また、前述したように、ハイブリッド紙幣をドラム３７に巻き付けたときに、紙幣１００が円錐状になってしまうことを防止することができる。
【０１３０】
（テープの縁の位置を変更する別の構成例）
尚、前述した構成例は、テープの位置を回転軸３７０の方向に変更することによって、ドラム３７に巻き付けられるテープの幅方向の縁の位置を、回転軸３７０の方向に変更している。これとは異なり、テープの幅を変えることによっても、ドラム３７に巻き付けられるテープの幅方向の縁の位置を、回転軸３７０の方向に変更することができる。図５に例示するガイドローラー３２４のように、幅広のローラーを、テープの経路に配設しておけば、幅の狭いテープ及び幅の広いテープの両方について、テープの走行を案内することができる。
【０１３１】
また、第１テープ３５１及び第２テープ３５２を有する紙幣収納装置３を例に、ここに開示する技術を説明したが、ここに開示する技術が適用可能な紙幣収納装置のテープの本数に制限はない。紙幣収納装置は、一本のテープによって紙幣をドラムに巻き取るよう構成してもよいし、三本以上のテープによって紙幣をドラムに巻き取るよう構成してもよい。
【０１３２】
さらに、ここに開示する技術は、様々な構成の紙幣収納装置に適用することができる。紙幣収納装置は、一対のテープが紙幣を厚み方向に挟んでドラムに巻き付けるように構成してもよい。紙幣を挟む一対のテープは、ドラムの回転軸の方向に同じ位置に配置されていてもよいし、ドラムの回転軸の方向に位置がずれていてもよい。
【０１３３】
前述した様々な構成例は、可能な範囲で互いに組み合わせることが可能である。また、紙幣収納装置は、前述した様々な構成例を全て有するのではなく、それぞれ単独で有していてもよい。
【０１３４】
尚、ここに開示する技術は、紙幣処理装置、及び、紙幣収納装置に適用されることに限らない。ここに開示する技術は、例えば小切手、商品券、及び、各種の有価証券を含む紙葉類を処理する紙葉類処理装置、及び、紙葉類収納装置に、広く適用することが可能である。
【符号の説明】
【０１３５】
１  紙幣処理装置（紙葉類処理装置）
１００  紙幣（紙葉類）
３  紙幣収納装置（紙葉類収納装置）
３０１  変更構造
３０２  変更構造
３０３  変更構造
３０４  変更構造
３０５  変更構造
３２６  規制部
３５１  第１テープ
３５２  第２テープ
３６１  第１リール
３６２  第２リール
３６５  駆動部（第２駆動部）
３７  ドラム（回転体）
３７０  回転軸
３７１  第１可動部
３７２  第２可動部
３７３  印
３７５  駆動部
３８１  押さえローラー
３９  ガイド部
５１  収納ユニット（紙葉類収納装置）
６  一時保留部（紙葉類収納装置）
【図１】
2019101676.tif 000003
【図２】
2019101676.tif 000004
【図３】
2019101676.tif 000005
【図４】
2019101676.tif 000006
【図５】
2019101676.tif 000007
【図６】
2019101676.tif 000008
【図７】
2019101676.tif 000009
【図８】
2019101676.tif 000010
【図９】
2019101676.tif 000011
【図１０】
2019101676.tif 000012
【図１１】
2019101676.tif 000013
【図１２】
2019101676.tif 000014
【図１３】
2019101676.tif 000015
【図１４】
2019101676.tif 000016